(57)【要約】【課題】携帯端末が充電器に装着された状態で放置されている場合に，その充電器が映像表示装置から離れた位置にある場合や，無線通信のノイズとなる電磁波が存在する場合でも，携帯端末における電子メールの着信情報を確実に映像表示装置の映像表示部に表示させることができるシステムを提供すること。【解決手段】携帯端末ＹのＭＰＵ２２が，テレビジョン受像機Ｘに対し，充電器Ｚに装着された状態で受信した電子メールに関するメール着信情報を，充電器Ｚに設けられたＰＬＣ通信回路３１を通じて電力線通信により送信し，テレビジョン受像機Ｘのサブマイコン１３及びメインマイコン１２が，携帯端末Ｙからメール着信情報をＰＬＣ通信回路１９を通じて電力線通信により受信し，そのメール着信情報又はこれに対応する情報を液晶ディスプレイ１６に表示させる。【選択図】図１
2009071568.tif 000002
【特許請求の範囲】
【請求項１】
無線信号により伝送される電子メールを受信する携帯端末と，交流電力線を通じて給電され前記携帯端末が装着されているときに該携帯端末が備える蓄電池を充電する充電器と，映像表示部を備え前記交流電力線を通じて給電される映像表示装置と，を備えてなる映像表示システムであって，
前記充電器に設けられ，前記映像表示装置との間で前記交流電力線を通じた電力線通信を行う充電器側電力線通信手段と，
前記映像表示装置に設けられ，前記充電器に装着された前記携帯端末との間で前記交流電力線を通じた電力線通信を行う映像表示装置側電力線通信手段と，
前記携帯端末に設けられ，前記映像表示装置に対して該携帯端末が前記充電器に装着された状態で受信した電子メールに関するメール着信情報を前記充電器側電力線通信手段を通じて送信する着信情報送信手段と，
前記映像表示装置に設けられ，前記携帯端末から前記メール着信情報を前記映像表示装置側電力線通信手段を通じて受信する着信情報受信手段と，
前記映像表示装置に設けられ，前記着信情報受信手段により受信された前記メール着信情報又はこれに対応する情報を前記映像表示部に表示させる着信情報表示制御手段と，
を具備してなることを特徴とする映像表示システム。
【請求項２】
前記メール着信情報が，前記携帯端末が電子メールを受信した旨を表す情報及び前記携帯端末が受信した電子メールに含まれる情報の一方又は両方を含んでなる請求項１に記載の映像表示システム。
【請求項３】
前記映像表示装置における前記着信情報表示制御手段が，前記映像表示部に既に表示中の映像とともに前記メール着信情報又はこれに対応する情報を表示させる第１の着信情報表示制御手段を具備してなる請求項１又は２のいずれかに記載の映像表示システム。
【請求項４】
前記映像表示装置における前記着信情報表示制御手段が，通電停止状態にある前記映像表示部に対する通電を開始させた後に，前記メール着信情報又はこれに対応する情報を前記映像表示部に表示させる第２の着信情報表示制御手段を具備してなる請求項１〜３のいずれかに記載の映像表示システム。
【請求項５】
映像表示部を備え交流電力線を通じて給電される映像表示装置であって，
前記交流電力線に接続されてバッテリを充電する充電器に装着された携帯端末との間で，前記交流電力線を通じた電力線通信を行う映像表示装置側電力線通信手段と，
前記携帯端末から該携帯端末が前記充電器に装着された状態で受信した電子メールに関するメール着信情報を前記映像表示装置側電力線通信手段を通じて受信する着信情報受信手段と，
前記着信情報受信手段により受信された前記メール着信情報又はこれに対応する情報を前記映像表示部に表示させる着信情報表示制御手段と，
を具備してなることを特徴とする映像表示装置。
【発明の詳細な説明】
【技術分野】
【０００１】
本発明は，映像表示装置及び映像表示装置と充電器に装着された携帯端末とが電力線を通じて通信を行う映像表示システムに関するものである。
【背景技術】
【０００２】
昨今，携帯電話機やＰＤＡ（Personal Digital Assistant）等の携帯端末が，電子メールの送受信に用いる端末として普及している。このような携帯端末は，バッテリ（蓄電池）により給電される各種部品を通じて，無線信号により伝送される電子メールを受信し，同じく無線信号により電子メールを送信する。
ところで，携帯端末は，そのユーザの在宅中には携帯されずに放置されることが多い。そして，携帯端末が放置されている（携帯されていない）ときに電子メールの着信があると，ユーザがその着信に気付かないまま長時間が経過してしまうという不都合が生じる。そこで，居室に設置されたテレビジョン受像機やパーソナルコンピュータのモニタ等の映像表示装置が，その映像表示部に携帯端末における電子メールの着信情報を表示させる機能を備えれば，ユーザが電子メールの着信に気付かないという問題の発生を回避でき好適である。
これに対し，特許文献１には，携帯電話機が電子メールを受信した場合に，その携帯電話機が電子メールの着信情報を近距離無線通信（Bluetooth：Bluetooth-SIG Inc.の登録商標）によってテレビジョン受像機に対して送信するシステムが示されている。
【特許文献１】特開２００２−３５９６７０号公報
【発明の開示】
【発明が解決しようとする課題】
【０００３】
しかしながら，携帯端末は，そのユーザの在宅中に，内蔵バッテリの充電のために充電器に装着された状態で放置されることが多く，その充電器がテレビジョン受像機から離れた位置（例えば，１階居室に対する２階居室）に置かれている場合，特許文献１に示されるように近距離無線通信によって電子メールの着信情報をテレビジョン受像機に送信することができないという問題点があった。また，テレビジョン受像機は，キッチンに隣接するリビングルームに設置されることが多く，電子メールの着信情報を無線通信によりテレビジョン受像機へ伝送する場合，キッチンに設置された電子レンジから放射される電磁波がノイズ波となって正常に送信できないという問題も生じやすい。
従って，本発明は上記事情に鑑みてなされたものであり，その目的とするところは，携帯端末が充電器に装着された状態で放置されている場合に，その充電器が映像表示装置から離れた位置にある場合や，無線通信のノイズとなる電磁波が存在する場合でも，携帯端末における電子メールの着信情報を確実に映像表示装置の映像表示部に表示させることができるシステムを提供することにある。
【課題を解決するための手段】
【０００４】
上記目的を達成するために本発明に係る映像表示システムは，無線信号により伝送される電子メールを受信する携帯端末と，交流電力線を通じて給電され前記携帯端末が装着されているときにその携帯端末が備える蓄電池（バッテリ）を充電する充電器と，映像表示部を備え前記交流電力線を通じて給電される映像表示装置（テレビジョン受像機がその典型例）とを備え，さらに，次の（１−１）〜（１−５）に示す各構成要素を備えるものである。
（１−１）前記充電器に設けられ，前記映像表示装置との間で前記交流電力線を通じた電力線通信を行う充電器側電力線通信手段。
（１−２）前記映像表示装置に設けられ，前記充電器に装着された前記携帯端末との間で前記交流電力線を通じた電力線通信を行う映像表示装置側電力線通信手段。
（１−３）前記携帯端末に設けられ，前記映像表示装置に対して該携帯端末が前記充電器に装着された状態で受信した電子メールに関するメール着信情報を前記充電器側電力線通信手段を通じて送信する着信情報送信手段。
（１−４）前記映像表示装置に設けられ，前記携帯端末から前記メール着信情報を前記映像表示装置側電力線通信手段を通じて受信する着信情報受信手段。
（１−５）前記映像表示装置に設けられ，前記着信情報受信手段により受信された前記メール着信情報又はこれに対応する情報を前記映像表示部に表示させる着信情報表示制御手段。
ここで，前記メール着信情報は，例えば，前記携帯端末が電子メールを受信した旨を表す情報及び前記携帯端末が受信した電子メールに含まれる情報の一方又は両方を含む情報である。
【０００５】
本発明によれば，前記携帯端末が前記充電器に装着された状態で放置されている場合に，電力線通信によって前記携帯端末における電子メールの着信情報が前記映像表示装置へ自動伝送される。このため，前記充電器が前記映像表示装置から離れた位置にある場合や，無線通信のノイズとなる電磁波が存在する環境下であっても，前記携帯端末における電子メールの着信情報を確実に前記映像表示装置の映像表示部に表示させることができる。しかも，電子メールの着信情報を伝送するための信号伝送媒体を新たに設ける必要がない。
また，前記映像表示装置における前記着信情報表示制御手段としては，次の（１−６）及び（１−７）に示す手段の一方又は両方を含むものが考えられる。
（１−６）前記映像表示部に既に表示中の映像とともに前記メール着信情報又はこれに対応する情報を表示させる第１の着信情報表示制御手段。
（１−７）通電停止状態にある前記映像表示部に対する通電を開始させた後に，前記メール着信情報又はこれに対応する情報を前記映像表示部に表示させる第２の着信情報表示制御手段。
前記映像表示装置が，前記第２の着信情報表示制御手段を備えれば，前記携帯端末が電子メールを受信したときに，ユーザが前記映像表示装置を使用（起動）していない場合であっても，その映像表示装置が映像表示部を自動起動して電子メールの着信情報を表示させることができる。その結果，ユーザが電子メールの着信に気付かないという問題の発生をより確実に回避でき好適である。
また，本発明は，以上に示した本発明に係る映像表示システムにおける前記映像表示装置として捉えることもできる。
即ち，本発明に係る映像表示装置は，映像表示部を備え交流電力線を通じて給電される映像表示装置であり，次の（２−１）〜（２−３）に示す各構成要素を備えるものである。
（２−１）前記交流電力線に接続されてバッテリを充電する充電器に装着された携帯端末との間で，前記交流電力線を通じた電力線通信を行う映像表示装置側電力線通信手段。
（２−２）前記携帯端末からその携帯端末が前記充電器に装着された状態で受信した電子メールに関するメール着信情報を前記映像表示装置側電力線通信手段を通じて受信する着信情報受信手段。
（２−３）前記着信情報受信手段により受信された前記メール着信情報又はこれに対応する情報を前記映像表示部に表示させる着信情報表示制御手段。
【発明の効果】
【０００６】
本発明によれば，携帯端末が充電器に装着された状態で放置されている場合に，その充電器が映像表示装置から離れた位置にある場合や，無線通信のノイズとなる電磁波が存在する場合でも，携帯端末における電子メールの着信情報を確実に映像表示装置の映像表示部に表示させることができる。その結果，ユーザが，放置した携帯端末における電子メールの着信に気付かないという問題をより確実に回避できる。しかも，電子メールの着信情報を伝送するための信号伝送媒体を新たに設ける必要がなく，シンプルなシステム構成により実現できる。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施携帯に係る映像表示システムＡの概略構成を表すブロック図，図２は映像表示システムＡにおける電子メール着信通知処理の手順を表すフローチャート，図３は映像表示システムＡを構成する映像表示装置Ｘにおける着信有りメッセージ表示画面の一例を表す図，図４は映像表示装置Ｘにおける新着メール内容表示画面の一例を表す図である。
【０００８】
まず，図１に示すブロック図を参照しつつ，本発明の実施携帯に係る映像表示システムＡの構成について説明する。
図１に示すように，映像表示システムＡは，テレビジョン受像機Ｘ（映像表示装置の一例），携帯端末Ｙ及び充電器Ｚを備えている。
携帯端末Ｙは，例えば携帯電話機やＰＤＡ等であり，バッテリ２６（蓄電池）により給電される各種部品を通じて，無線信号により伝送される電子メールを受信し，同じく無線信号により電子メールを送信する機能を備えている。
充電器Ｚは，交流電力線ＧＬを通じて給電され，携帯端末Ｙが装着されているときにその携帯端末Ｙが備えるバッテリ２６を充電するものである。なお，交流電力線ＧＬは，商用の交流電源Ｇから出力される交流電力（ＡＣ１００Ｖ）を各家庭内において伝送し，家庭内のコンセントに接続された各種電子機器へその交流電力を供給する電力線である。
テレビジョン受像機Ｘは，映像表示部として液晶ディスプレイ１６を備え，その液晶ディスプレイ１６を含む各種部品が前記交流電力線ＧＬを通じて給電される映像表示装置の一例である。
映像表示システムＡの特徴は，携帯端末Ｙが充電器Ｚに装着された状態で放置されている場合に，携帯端末Ｙにおける電子メールの着信情報を電力線通信によって映像表示装置Ｘへ自動的に伝送し，その着信情報を映像表示装置Ｘの液晶ディスプレイ１６に表示させる処理（以下，電子メール着信通知処理という）を実行する点にある。
以下，テレビジョン受像機Ｘ，携帯端末Ｙ及び充電器Ｚそれぞれの構成について詳説する。
【０００９】
［テレビジョン受像機Ｘ］
テレビジョン受像機Ｘは，図１に示すように，電源回路１０，通電切替回路１１，メインマイコン１２，サブマイコン１３，映像信号入力回路１４，映像処理回路１５，液晶ディスプレイ１６，バックライト１７，インバータ回路１８及びＰＬＣ通信回路１９等を備えている。以下，液晶ディスプレイ１６，バックライト１７及びインバータ回路１８の全体を，映像表示ユニット１６〜１８と総称する。
前記電源回路１０は，交流電力線ＧＬに接続され，その交流電圧（ＡＣ１００Ｖ）を直流電圧に変換する回路である。当該テレビジョン受像機Ｘが備える各電子部品は，この電源回路１０の出力電圧（ＤＣ電圧）が直接又は所定の降圧回路を介して印加されることにより給電される。
前記映像信号入力回路１４は，液晶ディスプレイ１６による表示映像の信号を生成又は外部から入力する回路である。例えば，映像信号入力回路１４は，放送信号から放送中の番組の信号を抽出するディジタルチューナや，その抽出信号からＴＳ信号（Transport Stream信号）を復調する復調回路，そのＴＳ信号から放送番組の映像信号を分離抽出するデマルチプレクサやデコード回路等を備えた回路である。
前記映像処理回路１５は，映像信号入力回路１４から出力される映像信号に対して各種信号処理を行うものである。例えば，映像処理回路１５は，メインマイコン１２から伝送される画像情報や文字情報を，映像信号入力回路１４から伝送される映像信号に基づく映像に重ねて液晶ディスプレイ１６に表示させるＯＳＤ（On Screen Display）表示機能を備えている。
【００１０】
前記液晶ディスプレイ１６は，映像処理回路１５から出力される映像信号に基づく映像を表示するものである。
前記バックライト１７は，液晶ディスプレイ１６をその背後から照明するものであり，光源として上下方向に配列された複数本の冷陰極管を備える。
前記インバータ回路１８は，メインマイコン１２からの制御指令に従って，バックライト１７の光源（冷陰極管）それぞれに供給する電力を調節する回路であり，このインバータ回路１８により，バックライト１７の発光輝度の制御（点灯及び消灯の制御を含む）が行われる。また，インバータ回路１８は，バックライト１７を構成する複数の光源（冷陰極管）を個別に点灯又は消灯させることも可能である。
前記ＰＬＣ通信回路１９は，交流電力線ＧＬ（電源回路１０の１次側）に接続され，その交流電力線ＧＬを通じて，その交流電力線ＧＬに直接又は間接的に接続された外部の機器（ここでは，前記充電器Ｚに装着された前記携帯端末Ｙ）との間で周知の電力線通信を行う回路である（前記映像表示装置側電力線通信手段の一例）。
【００１１】
前記サブマイコン１３は，マイクロコンピュータ及びＲＯＭ等を備えた演算素子であり，主として前記通電切替回路１１の制御と，ＰＬＣ通信回路１９を通じて外部装置（ここでは，充電器Ｚに装着された携帯端末Ｙ）と通信する処理とを実行する。
前記メインマイコン１２は，マイクロコンピュータ及びその周辺装置（ＲＯＭやＥＥＰＲＯＭ等）を備えた制御回路であり，当該テレビジョン受像機Ｘにおける各種部品の制御を実行するものである。
前記通電切替回路１１は，サブマイコン１３からの制御指令に従って，当該テレビジョン受像機Ｘが備える一部の電子部品に対して前記電源回路１０からの給電を行うか否かを切り替える回路であり，当該テレビジョン受像機Ｘが待機状態であるときに，二次側に接続された電子部品に対する給電を遮断し，稼働状態であるときに同電子部品に対する給電を行う。この通電切替回路１１による通電切り替えが行われる部品には，例えば，前記メインマイコン１２，前記映像信号入力回路１４，前記映像処理回路１５及び映像表示ユニット１６〜１８等が含まれる。一方，前記サブマイコン１３及び前記ＰＬＣ通信回路１９は，前記待機状態及び前記稼働状態のいずれにおいても前記電源回路１０による給電がなされる。
より具体的には，当該テレビジョン受像機Ｘが待機状態であるときに，サブマイコン１３は，不図示のリモート操作器において電源ＯＮ操作がなされたことを検知すると，通電切替回路１１に通電指令を出力し，これに応じて通電切替回路１１は，その２次側に接続された部品１２，１４，１５〜１８に対する給電を行う。これにより，当該テレビジョン受像機Ｘが稼動状態へ移行する。
また，当該テレビジョン受像機Ｘが稼動状態であるときに，サブマイコン１３は，不図示のリモート操作器において電源ＯＦＦ操作がなされたことを検知すると，通電切替回路１１に通電遮断指令を出力し，これに応じて通電切替回路１１は，その２次側に接続された部品１２，１４，１５〜１８に対する給電を停止する。これにより，当該テレビジョン受像機Ｘが待機状態へ移行する。
なお，テレビジョン受像機Ｘは，図１に示す構成要素の他，音声信号の処理に関する部品（音声のデコーダ回路やアンプ，スピーカ等）や，リモート操作器から出力されるリモコン信号光の受光回路等，一般的なテレビジョン受像機が備える他の構成要素も備えている。
【００１２】
［携帯端末Ｙ］
携帯端末Ｙは，図１に示すように，アンテナ２０，表示部２１，ＭＰＵ２２，メモリ２３，操作部２４，無線通信部２５，バッテリ２６，充電回路２７及び充電コネクタ２８等を備えている。
前記表示部２１は，液晶ディスプレイや有機ＥＬディスプレイ等の表示装置である。また，前記操作部２４は，複数の操作キー（操作ボタン）を備えた情報入力手段であり，その操作内容を表す信号（操作信号）は，ＭＰＵ２２に伝送される。
前記無線通信部２５は，アンテナ２０を通じて無線信号の送受信を行うことにより，最寄りの基地局との間で無線通信を行うことにより，その基地局の上位側の通信網であるインターネット上のサーバとの間で通信を行うものである。
前記ＭＰＵ２２（マイクロコンピュータユニット）は，当該携帯端末Ｙが備える各部品の制御を行うものであり，不揮発性のメモリ２３（フラッシュメモリ等）に対し各種処理に必要なデータの読み出し及び処理結果の書き込み等も実行する。
例えば，ＭＰＵ２２は，所定の電子メール処理プログラムを実行することによって電子メールの受信処理及び送信処理を実行する。より具体的には，ＭＰＵ２２は，無線信号により伝送される電子メールをアンテナ２０及び無線通信部２５を通じて受信し，受信した電子メールデータをメモリ２３に記録する（電子メール受信処理）。また，ＭＰＵ２２は，予めメモリ２３に記録した電子メールデータを，無線通信部２５及びアンテナ２０を通じて送信する（電子メール送信処理）。また，ＭＰＵ２２は，メモリ２３に記録した電子メールデータ（受信メール）の内容を表示部２１に表示させたり，操作部２４を通じて入力される電子メールデータ（送信メール）をメモリ２３に記録したりする処理も実行する。
【００１３】
前記バッテリ２６は，ニッケル水素電池等の蓄電池であり，当該携帯端末Ｙが備える各電子部品２１〜２５は，このバッテリ２６によって給電される。
前記充電回路２７は，充電コネクタ２８が前記充電器Ｚのコネクタ３２に接続されているときに，その充電器Ｚから供給される充電用の直流電圧をバッテリ２６に印加するとともに，バッテリ２６の蓄電度合いを検出し，バッテリ２６が所定レベル以上まで充電された場合に，充電器Ｚから供給される充電用の直流電圧のバッテリ２６に対する印加を停止する。
また，充電コネクタ２８は，充電器Ｚとの間でバッテリ２６に対する充電用電力の供給ラインの接続及び遮断を切り替える（断続する）コネクタであると同時に，充電器Ｚが備えるＰＬＣ通信回路３１（後述）との間の信号伝送ラインの接続及び遮断を切り替える（断続する）コネクタでもある。
【００１４】
［充電器Ｚ］
充電器Ｚは，図１に示すように，電源回路３０，ＰＬＣ通信回路３１及びコネクタ３２等を備えている。
前記電源回路３０は，交流電力線ＧＬに接続され，その交流電圧（ＡＣ１００Ｖ）をバッテリ２６充電用の直流電圧に変換する回路である。この電源回路３０の出力電圧（ＤＣ電圧）は，当該充電器Ｚのコネクタ３２に携帯端末Ｙの充電コネクタ２８が接続された場合に，その携帯端末Ｙの充電回路２７を通じてバッテリ２６に印加される。
前記ＰＬＣ通信回路３１は，交流電力線ＧＬ（電源回路３０の１次側）に接続され，その交流電力線ＧＬを通じて，その交流電力線ＧＬに接続された外部の機器（ここでは，前記テレビジョン受像機Ｘ）との間で周知の電力線通信を行う回路である（前記充電器側電力線通信手段の一例）。
また，充電器Ｚのコネクタ３２は，携帯端末Ｙとの間でバッテリ２６に対する充電用電力の供給ラインの接続及び遮断を切り替える（断続する）コネクタであると同時に，充電器Ｚが備えるＰＬＣ通信回路３１と携帯端末Ｙが備えるＭＰＵ２２との間の信号伝送ラインの接続及び遮断を切り替える（断続する）コネクタでもある。
そして，携帯端末Ｙが充電器Ｚに装着された状態（充電コネクタ２８及びコネクタ３２が接続された状態）において，携帯端末ＹのＭＰＵ２２は，充電器ＺのＰＬＣ通信回路３１を通じて外部装置（ここでは，テレビジョン受像機Ｘ）と通信する処理を実行する。
【００１５】
次に，図２に示すフローチャートを参照しつつ，映像表示システムＡにおける電子メール着信通知処理の手順について説明する。
電子メール着信通知処理は，充電器Ｚに装着された携帯端末Ｙとテレビジョン受像機Ｘとにより実行されるが，以下，携帯端末Ｙ側の処理について説明した上で，テレビジョン受像機Ｘ側の処理について説明する。なお，以下に示すＳ１，Ｓ２，…は，処理手順（ステップ）の識別符号を表す。
［携帯端末Ｙ側の処理］
携帯端末Ｙにおいて，まず，前記ＭＰＵ２２は，無線通信部２５を通じてインターネット上の電子メールサーバに接続（通信を確立）し，その電子メールサーバに当該携帯端末Ｙを宛先とする新たな電子メール（新着メール）が届いているか否かをチェックするとともに，新着メールが届いている場合にその電子メール（電子メールデータ）を，無線通信部２５による無線通信を通じて受信し，受信した新着メールをメモリ２３に記録する処理を実行する（Ｓ１）。
そして，携帯端末ＹのＭＰＵ２２は，充電器Ｚに装着された状態で新着メールを受信した場合，テレビジョン受像機Ｘに対し，新着メール（電子メール）を受信した旨を表す着信有り情報（前記メール着信情報の一例）を，充電器Ｚの前記ＰＬＣ通信回路３１を通じて送信する（Ｓ２，前記着信情報送信手段の一例）。なお，ＭＰＵ２２は，ステップＳ１において新着メールを受信しなかった場合（新着メールが電子メールサーバに届いていなかった場合）は，ステップＳ２の処理をスキップする。
次に，携帯端末ＹのＭＰＵ２２は，前記着信有り情報の送信先であるテレビジョン受像機Ｘから交流電力線ＧＬを通じて新着メールの内容を要求するコマンド（以下，新着メール内容要求コマンドという）が伝送されてきているか否かを，充電器ＺのＰＬＣ通信回路３１にアクセスすることによりチェックし，前記新着メール内容要求コマンドを受信する処理を実行する（Ｓ３）。
そして，携帯端末ＹのＭＰＵ２２は，前記新着メール内容要求コマンドを受信した場合，テレビジョン受像機Ｘに対し，ステップＳ１で受信した新着メール（携帯端末Ｙが充電器Ｚに装着された状態で受信した電子メール）に含まれる情報（標題，差出人（送信元メールアドレス）及び電子メール本文等，以下，新着メール内容という：前記メール着信情報の一例）を，充電器Ｚの前記ＰＬＣ通信回路３１を通じて送信する（Ｓ４，前記着信情報送信手段の一例）。
そして，ＭＰＵ２２は，ステップＳ４の処理の終了後，又はステップＳ３において前記新着メール内容要求コマンドを受信しなかった場合に，処理を前述したステップＳ１へ戻す。以後，携帯端末ＹのＭＰＵ２２は，ステップＳ１〜Ｓ４の処理を随時繰り返し実行する。
【００１６】
［テレビジョン受像機Ｘ側の処理］
続いて，電子メール着信通知処理におけるテレビジョン受像機Ｘ側の処理について説明する。
テレビジョン受像機Ｘにおいて，まず，前記サブマイコン１３は，テレビジョン受像機Ｘから交流電力線ＧＬを通じて前記着信有り情報（ステップＳ２で送信される情報，前記メール着信情報の一例）が伝送されてきているか否かを，前記ＰＬＣ通信回路１９にアクセスすることによりチェックし，前記着信有り情報を受信する処理を実行する（Ｓ１１，前記着信情報受信手段の一例）。
そして，サブマイコン１３が前記着信有り情報を受信した場合，サブマイコン１３及びメインマイコン１２により，以下に示すステップＳ１２〜Ｓ１５の処理が実行される。なお，サブマイコン１３がステップＳ１１において前記着信有り情報を受信しなかった場合，ステップＳ１２〜Ｓ１５の処理はスキップされ，後述するステップＳ１６の処理に移行される。
【００１７】
前記サブマイコン１３は，ステップＳ１１で前記着信有り情報を受信した場合，当該テレビジョン受像機Ｘが前記稼動状態（メインマイコン１２及び映像表示ユニット１６〜１８が通電された状態）であるか前記待機状態（メインマイコン１２及び映像表示ユニット１６〜１８が非通電の状態）であるかを判別する（Ｓ１２）。
次に，サブマイコン１３は，前記稼動状態であると判別した場合，前記着信有り情報を受信した旨を前記メインマイコン１２に通知し，そのメインマイコン１２が，前記映像処理回路１５を制御することにより，前記液晶ディスプレイ１６に，既に表示中の映像に重ねて（既に表示中の映像とともに），前記着信有り情報に対応するメッセージ（以下，着信有りメッセージという）を表示させる（Ｓ１３，前記第１の着信情報表示制御手段の一例）。以下，このステップＳ１３の処理を実行する動作モードを重畳表示モードという。
一方，サブマイコン１３は，前記待機状態であると判別した場合，まず，前記通電切替回路１１に前記通電指令を出力することにより，メインマイコン１２，映像処理回路１５及び映像表示ユニット１６〜１８に対する給電を開始させてそれらを起動させる（Ｓ１４）。これにより，当該テレビジョン受像機Ｘが前記稼動状態となる。
さらに，サブマイコン１３は，起動したメインマイコン１２に対して前記着信有り情報を受信した旨を通知し，そのメインマイコン１２が，前記映像処理回路１５を制御することにより，前記着信有り情報に対応する前記着信有りメッセージを液晶ディスプレイ１６に表示させる（Ｓ１５）。なお，その際，起動したメインマイコン１２は，前記映像信号入力回路１４を通じて得る映像信号に基づく映像表示処理を実行しない。このように，サブマイコン１３及びメインマイコン１２は，通電停止状態にある前記映像表示ユニット１６〜１８（液晶ディスプレイ１６を含む）に対する通電を開始させた後，前記着信有りメッセージを液晶ディスプレイ１６に表示させる（Ｓ１４及びＳ１５，前記第２の着信情報表示制御手段の一例）。
以下，このステップＳ１４及びＳ１５の処理を実行する動作モードを単独表示モードという。
【００１８】
図３は，映像表示装置Ｘにおける着信有りメッセージ表示画面の一例を表す図であり，図３（ａ）は前記重畳表示モードの場合の例，図３（ｂ）は前記単独表示モードの場合の例である。
サブマイコン１３及びメインマイコン１２は，前記稼動状態であるときに前記着信有り情報を受信した場合，図３（ａ）に示すように，前記液晶ディスプレイ１６に，既に表示中の映像ｖ０に重ねて，前記着信有りメッセージｖ１を表示させる。
一方，サブマイコン１３及びメインマイコン１２は，前記待機状態であるときに前記着信有り情報を受信した場合，図３（ｂ）に示すように，前記液晶ディスプレイ１６に，前記着信有りメッセージｖ１のみを表示させる。その際，前記メインマイコン１２が，前記インバータ回路１８を制御することにより，前記バックライト１７が備える複数の光源（冷陰極管）のうち，液晶ディスプレイ１６における前記着信有りメッセージｖ１の表示領域を照明する光源のみを点灯させることが望ましい。これにより，無駄な電力消費が抑えられる。
また，図１に示すように，前記着信有りメッセージｖ１には，例えば，携帯端末Ｙにおいて電子メールの着信があった旨を表す情報「メール着信有り」と，その電子メールの内容を液晶ディスプレイ１６に表示させるか否かの選択を促す選択メニュー「内容を表示しますか？  Ｙ／Ｎ」とが含まれる。
【００１９】
次に，前記着信有りメッセージｖ１の表示中に，テレビジョン受像機Ｘにおけるメインマイコン１２が，当該テレビジョン受像機Ｘの操作部であるリモート操作器（不図示）において，携帯端末Ｙが受信した新着メールの内容を液晶ディスプレイ１６に表示させることを要求する操作がなされたか否かを判別する（Ｓ１６）。例えば，メインマイコン１２は，ステップＳ１６において，前記着信有りメッセージｖ１の表示画面（図３）における前記選択メニューに対し，電子メールの内容を液晶ディスプレイ１６に表示させる旨を選択する操作（例えば，矢印キーの押下による内容表示を肯定する項目の選択操作及び確定キーの押下による選択確定操作）がなされたか否かを判別する。
そして，メインマイコン１２は，新着メールの内容表示を要求する操作がなされたと判別すると，前記着信有り情報の送信元である携帯端末Ｙに対し，ＰＬＣ通信回路１９及び交流電力線ＧＬを通じて，新着メールの内容（携帯端末Ｙが充電器Ｚに装着されているときに受信した電子メールの内容）を要求する前記新着メール内容要求コマンドを送信する（Ｓ１７）。
続いてメインマイコン１２は，前記着信有り情報の送信元である携帯端末Ｙから，交流電力線ＧＬ及びＰＬＣ通信回路１９を通じて，前記新着メール内容（前記メール着信情報の一例）を受信する（Ｓ１８，前記着信情報受信手段の一例）。
さらに，メインマイコン１２が，映像処理回路１５を制御することにより，ステップＳ１８で受信した前記新着メール内容を液晶ディスプレイ１６に表示さ（Ｓ１９，前記着信情報表示制御手段の一例），その後，前述したステップＳ１１へ処理が戻される。
【００２０】
図４は，映像表示装置Ｘにおける新着メール内容表示画面の一例を表す図であり，図４（ａ）は前記重畳表示モードの場合の例，図４（ｂ）は前記単独表示モードの場合の例である。
前記メインマイコン１２は，前記稼動状態であるときに前記着信有り情報が受信されて前記重畳表示モードへ移行している場合，図４（ａ）に示すように，前記液晶ディスプレイ１６に，既に表示中の映像ｖ０に重ねて，前記新着メール内容ｖ２を表示させる。
一方，前記メインマイコン１２は，前記待機状態であるときに前記着信有り情報が受信されて前記耽読表示モードへ移行している場合，図４（ｂ）に示すように，前記液晶ディスプレイ１６に，前記新着メール内容ｖ２のみを表示させる。この場合も，無駄な電力消費が抑えるため，前記メインマイコン１２が，前記インバータ回路１８を制御することにより，前記バックライト１７が備える複数の光源（冷陰極管）のうち，液晶ディスプレイ１６における前記新着メール内容ｖ２の表示領域を照明する光源のみを点灯させることが望ましい。
【００２１】
一方，前記メインマイコン１２は，ステップＳ１６において新着メールの内容表示を要求する操作がなされていないと判別すると，さらに，当該テレビジョン受像機Ｘの操作部であるリモート操作器（不図示）において，液晶ディスプレイ１６に既に表示中のメール着信情報（前記着信有りメッセージｖ１又は前記新着メール内容ｖ２）の表示を消去することを要求する操作がなされたか否かを判別する（Ｓ２０）。例えば，メインマイコン１２は，ステップＳ２０において，前記着信有りメッセージｖ１の表示画面（図３）における前記選択メニューに対し，電子メールの内容を液晶ディスプレイ１６に表示させない旨を選択する操作（例えば，矢印キーの押下による内容表示を否定する項目の選択操作及び確定キーの押下による選択確定操作）がなされたか否か，及び，前記リモート操作器におけるキャンセルキーの操作がなされたか否かを判別する。
そして，メインマイコン１２は，前記メール着信情報の表示消去を要求する操作がなされたと判別すると，当該テレビジョン受像機Ｘの動作モードが前記重畳表示モードであるか前記単独表示モードであるかを判別する（Ｓ２１）。
ここで，メインマイコン１２は，前記重畳表示モードであると判別すると，前記映像処理回路１５を制御することにより，液晶ディスプレイ１６に既に表示中の前記メール着信情報ｖ１又はｖ２の表示を消去させ（Ｓ２２），その後，処理が前述したステップＳ１１へ戻される。これにより，液晶ディスプレイ１６は，元々表示していた映像ｖ０のみを表示する状態となる。
一方，メインマイコン１２により前記単独表示モードであると判別されると，メインマイコン１２及びサブマイコン１３により，前記待機状態への移行処理が実行され（Ｓ２３），その後，処理が前述したステップＳ１１へ戻される。このステップＳ２３においては，メインマイコン１２が各種の終了処理を実行し，その後，サブマイコン１３が，前記通電切替回路１１を制御することにより，その２次側に接続されている部品にたいする給電を停止させる。これにより，テレビジョン受像機Ｘが前記着信有り情報を受信する前の状態（前記待機状態）へ移行する。
【００２２】
以上に示したように，映像表示システムＡでは，携帯端末Ｙが充電器Ｚに装着された状態で放置されている場合に，電力線通信によって携帯端末Ｙにおける電子メールの着信情報がテレビジョン受像機Ｘへ自動伝送される。このため，充電器Ｚが映像表示装置Ｘから離れた位置にある場合や，無線通信のノイズとなる電磁波が存在する環境下であっても，携帯端末Ｙにおける電子メールの着信情報を確実にテレビジョン受像機Ｘの液晶ディスプレイ１６に表示させることができる。その結果，ユーザが，放置した携帯端末Ｙにおける電子メールの着信に気付かないという問題をより確実に回避できる。しかも，電子メールの着信情報を伝送するための信号伝送媒体を新たに設ける必要がなく，シンプルなシステム構成により実現できる。
【００２３】
以上に示した実施形態では，テレビジョン受像機Ｘが，まず，前記着信有り情報の受信に応じて前記着信有りメッセージｖ１を液晶ディスプレイ１６に表示させ，その後，操作部（リモート操作器）に対する操作に応じて前記新着メール内容ｖ２を液晶ディスプレイ１６に表示させる例を示した。
その他，テレビジョン受像機Ｘが，前記着信有り情報を受信した場合に，自動的にステップＳ１７〜Ｓ１９の処理を実行することにより，前記着信有り情報の受信に応じて前記新着メール内容ｖ２を液晶ディスプレイ１６に表示させることも考えられる。また，テレビジョン受像機Ｘがその操作部（リモート操作器）を通じて電子メール着信通知処理の動作モードを設定（選択）する機能を備え，設定された動作モードに応じて，前記着信有りメッセージｖ１又は前記新着メール内容ｖ２のいずれかのみを自動的に液晶ディスプレイ１６に表示させるか，前述した実施形態のようにそれらを段階的に表示させるか，或いは電子メール着信通知処理の実行を無効にするかを切り替え可能にすることも考えられる。
【産業上の利用可能性】
【００２４】
本発明は，映像表示装置，携帯端末及びその充電器を備えた映像表示システムへの利用が可能である。
【図面の簡単な説明】
【００２５】
【図１】本発明の実施携帯に係る映像表示システムＡの概略構成を表すブロック図。
【図２】映像表示システムＡにおける電子メール着信通知処理の手順を表すフローチャート。
【図３】映像表示システムＡを構成する映像表示装置Ｘにおける着信有りメッセージ表示画面の一例を表す図。
【図４】映像表示装置Ｘにおける新着メール内容表示画面の一例を表す図。
【符号の説明】
【００２６】
Ａ  ：映像表示システム
Ｘ  ：テレビジョン受像機
Ｙ  ：携帯端末
Ｚ  ：携帯端末の充電器
１０：電源回路
１１：通電切替回路
１２：メインマイコン
１３：サブマイコン
１４：映像信号入力回路
１５：映像処理回路
１６：液晶ディスプレイ
１７：バックライト
１８：インバータ回路
１９：ＰＬＣ通信回路
２０：アンテナ
２１：表示部
２２：ＭＰＵ
２３：メモリ
２４：操作部
２５：無線通信部
２６：バッテリ
２７：充電回路
２８：充電コネクタ
３０：電源回路
３１：ＰＬＣ通信回路
３２：コネクタ
Ｓ１，Ｓ２，…：処理手順（ステップ）
【図１】
2009071568.tif 000003
【図２】
2009071568.tif 000004
【図３】
2009071568.tif 000005
【図４】
2009071568.tif 000006